(57)【要約】【課題】プリント注文受付装置でプリント注文を行う場合に、表示部に表示された画像が覗き見されるのを防止する。【解決手段】写真店において顧客がプリント注文を行う場合には、各自の携帯電話３０をプリント注文受付装置２に接続ケーブル１０で接続し、プリント注文受付装置２の読み取り部１１で画像データの読み取りを行う。その後、プリント注文を受け付ける際に用いられるプログラム及び画像を含む注文画面に対応したデータがプリント注文受付装置２から顧客の携帯電話３０に送信される。顧客は、携帯電話３０の表示部３１に表示された注文画面を見ながら、携帯電話３０の操作部３２によって注文画像の決定や各注文画像の枚数の入力等の操作を行う。そして、顧客が注文情報の入力を完了すると、注文情報に対応したデータが、顧客の携帯電話３０からプリント注文受付装置２に送信される。【選択図】図２
2008020685.tif 000002
【特許請求の範囲】
【請求項１】
画像データが記録された記録媒体から画像データを読み取る読み取り部と、
前記読み取り部で読み取られた画像データに係る画像を含む注文画面に対応したデータを顧客の携帯端末に対して送信するデータ送信部と、
前記顧客の携帯端末の表示部に注文画面が表示された状態で前記顧客の携帯端末の操作部から入力された注文情報に対応したデータを受信するデータ受信部とを備えていることを特徴とするプリント注文受付装置。
【請求項２】
注文を受け付ける商品に係る画像を含む注文画面に対応したデータを顧客の携帯端末に対して送信するデータ送信部と、
前記顧客の携帯端末の表示部に注文画面が表示された状態で前記顧客の携帯端末の操作部から入力された注文情報に対応したデータを受信するデータ受信部とを備えていることを特徴とする注文受付装置。
【発明の詳細な説明】
【技術分野】
【０００１】
本発明は、顧客の携帯電話等からの注文を受け付けるプリント注文受付装置及び注文受付装置に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、露光現像装置と共に、顧客自身が操作可能なプリント注文受付装置が設置されることが一般的になってきている（例えば、特許文献１参照）。写真店では、複数のプリント注文受付装置はカウンタ上に設置されている。従って、顧客は、各自で、デジタルカメラで撮影された画像データが保存されたメディアをセットした後で、複数の画像が表示されたモニタを見ながらプリント枚数などの入力を行う。
【特許文献１】特開２００３−７８６８３号公報
【発明の開示】
【発明が解決しようとする課題】
【０００３】
多くの写真店では、集客力を上げるために、プリント注文受付装置は最も人の目に付く場所に設置される。しかしながら、プリント注文を行う顧客の立場から考えると、モニタに映し出された画像が他人に見られてしまう可能性が高くなってしまう。特に順番待ちの顧客が並んでいる場合には、どうしてもモニタ上の画像が覗き見されることになり、プリント注文受付装置での注文を控える顧客がいるのが現状である。
【０００４】
そこで、本発明の主な目的は、プリント注文を行う場合に表示部に表示された画像が覗き見されるのを防止することができるプリント注文受付装置及び注文受付装置を提供することである。
【課題を解決するための手段および発明の効果】
【０００５】
本発明のプリント注文受付装置は、画像データが記録された記録媒体から画像データを読み取る読み取り部と、前記読み取り部で読み取られた画像データに係る画像を含む注文画面に対応したデータを顧客の携帯端末に対して送信するデータ送信部と、前記顧客の携帯端末の表示部に注文画面が表示された状態で前記顧客の携帯端末の操作部から入力された注文情報に対応したデータを受信するデータ受信部とを備えている。
【０００６】
この構成によると、顧客は、各自の普段から使い慣れた携帯端末を利用してプリント注文の入力操作を行うことになるので、簡単且つ効率よく入力操作を行うことができる。また、顧客の携帯端末はプリント注文受付装置から分離されているので、顧客は、例えば壁を背にすることで後ろから覗き見されない状態でプリント注文の入力操作を行うことができる。従って、携帯端末の表示部に表示された画像が覗き見されるのを防止することができる。また、携帯端末の表示部を小さくすることでさらに覗き見されにくくなる。また、プリント注文受付装置は表示部や操作部を有しないので小型化できる。そのため、複数のプリント注文受付装置が写真店に設置される場合に、従来に比べ、多くの台数を設置することができる。また、上記の小型化によって製造コストを低減でき、従来と同じコストで設置台数を大幅に増やすことができる。その結果、写真店での集客力を上げることができる。
【０００７】
本発明の注文受付装置は、注文を受け付ける商品に係る画像を含む注文画面に対応したデータを顧客の携帯端末に対して送信するデータ送信部と、前記顧客の携帯端末の表示部に注文画面が表示された状態で前記顧客の携帯端末の操作部から入力された注文情報に対応したデータを受信するデータ受信部とを備えている。
【０００８】
この構成によると、顧客は、各自の普段から使い慣れた携帯端末を利用して注文の入力操作を行うことになるので、簡単且つ効率よく入力操作を行うことができる。また、顧客の携帯端末は注文受付装置から分離されているので、顧客は、例えば壁を背にすることで後ろから覗き見されない状態で注文の入力操作を行うことができる。従って、携帯端末の表示部に表示された画像が覗き見されるのを防止することができる。また、携帯端末の表示部を小さくすることでさらに覗き見されにくくなる。また、注文受付装置は表示部や操作部を有しないので小型化できる。そのため、複数の注文受付装置が注文を受け付ける商品を販売する店に設置される場合に、従来に比べ、多くの台数を設置することができる。また、上記の小型化によって製造コストを低減でき、従来と同じコストで設置台数を大幅に増やすことができる。その結果、注文を受け付ける商品を販売する店での集客力を上げることができる。
【発明を実施するための最良の形態】
【０００９】
以下、本発明の実施の形態について、図面を参照しつつ説明する。図１は、本発明の実施の形態に係るプリント注文受付装置が含まれるプリントシステムの構成を示す図である。
【００１０】
写真店内のプリントシステム１は、複数のプリント注文受付装置（注文受付装置）２と、ホストコンピュータ３と、写真処理装置４と、プリンタ５とを有している。そして、複数の注文受付装置２は、顧客の携帯電話３０と接続ケーブル１０で接続可能であると共に、ホストコンピュータ３に接続ケーブルでそれぞれ接続されており、データの送受信が可能になっている。また、ホストコンピュータ３は、写真処理装置４及びプリンタ５に接続ケーブルで接続されており、注文受付装置２から受信した注文情報を写真処理装置４又はプリンタ５に送信可能になっている。
【００１１】
本実施の形態のプリントシステム１では、注文受付装置２で受け付けた注文に係る画像のプリントが写真処理装置４で行われる場合には、注文だけを受け付け、その後、写真処理装置４で作成されたプリントが、後日、写真店を訪れた顧客に渡される。一方、注文受付装置２で受け付けた注文に係る画像のプリントがプリンタ５で行われる場合には、注文を受け付けた後、その場でプリンタ５で作成されたプリントが顧客に渡される
【００１２】
注文受付装置２は、図２に示すように、顧客の携帯電話３０と接続するための接続ケーブル１０を有している。従って、プリント注文を行う顧客は、各自の携帯電話３０を注文受付装置２に接続ケーブル１０で接続することで、顧客の携帯電話３０と注文受付装置２との間で画像データ等の送受信が可能になる。
【００１３】
また、注文受付装置２は、図３に示すように、画像データが記録されたスマートメディア、コンパクトフラッシュ（登録商標）、メモリスティックやＣＤ−ＲＯＭ等から画像データを読み取る読み取り部１１と、読み取り部１１で読み取られた画像データやプリント注文を受け付ける際に用いられるプログラムなどを記憶する記憶部１２と、携帯電話３０及びホストコンピュータ３との間でデータを送受信する送受信部１３とを有している。
【００１４】
一方、携帯電話３０は、注文画面を表示する表示部３１と、注文情報の入力を行うための複数のボタンを含む操作部３２と、画像データ等を記憶する記憶部３３と、注文受付装置２との間でデータを送受信する送受信部３４とを有している。本実施の形態では、携帯電話３０の表示部３１の大きさは２．５〜３インチである。操作部３２では、注文画像の選択、注文画像の決定、各注文画像の枚数の入力等の操作が可能である。
【００１５】
次に、顧客の携帯電話を利用してプリント注文が行われる際の動作手順について、図４を参照して説明する。図４は、顧客の携帯電話を利用してプリント注文が行われる際の動作手順を示すフローチャートである。
【００１６】
まず、顧客の携帯電話３０が注文受付装置２に接続ケーブル１０で接続される（ステップＳ１０１）。そして、顧客は、各自で、デジタルカメラで撮影された画像データが保存されたメディアをセットし、注文受付装置２の読み取り部１１で画像データの読み取りを行うと、読み取られた画像データが記憶部１２に記憶される（ステップＳ１０２）。その後、注文受付装置２の記憶部１２に記憶され且つプリント注文を受け付ける際に用いられるプログラムが顧客の携帯電話３０に送信されると共に、注文受付装置２の記憶部１２に記憶された画像データに係る画像を含む注文画面に対応したデータが顧客の携帯電話３０に送信される（ステップＳ１０３）。
【００１７】
顧客の携帯電話３０では、注文画面に対応したデータを受信すると、１つの画像を含む注文画面が表示部３１に表示される（ステップＳ１０４）。ここで、本実施の形態では、各注文画面は画像を１枚ずつ含んでいると共に、その画像の他に、注文画像の選択、注文画像の決定、各注文画像の枚数の入力等の操作方法が表示される。つまり、例えば注文画像を決定する場合には「１」ボタンを押す等の操作方法が表示される。
【００１８】
顧客は、携帯電話３０の表示部３１に表示された注文画面を見ながら、携帯電話３０の操作部３２によって注文画像の決定や各注文画像の枚数の入力等の操作を行う（ステップＳ１０５）。そして、顧客が注文情報の入力を完了すると、操作部３２から入力された注文情報に対応したデータが、顧客の携帯電話３０から受付装置本体１０に送信され、注文受付装置２で受信される（ステップＳ１０６）。
【００１９】
以上説明したように、本実施の形態の注文受付装置２では、顧客は、各自の普段から使い慣れた携帯電話３０を利用してプリント注文の入力操作を行うことになるので、簡単且つ効率よく入力操作を行うことができる。また、顧客の携帯電話３０は注文受付装置２から分離されているので、顧客は、例えば壁を背にすることで後ろから覗き見されない状態で、顧客はプリント注文の入力操作を行うことができる。従って、携帯電話３０の表示部３１に表示された画像が覗き見されるのを防止することができる。また、携帯電話３０の表示部３１を小さくすることでさらに覗き見されにくくなる。また、注文受付装置２は表示部や操作部を有しないので小型化できる。そのため、複数の注文受付装置２が写真店に設置される場合に、従来に比べ、多くの台数を設置することができる。また、上記の小型化によって製造コストを低減でき、従来と同じコストで設置台数を大幅に増やすことができる。その結果、写真店での集客力を上げることができる。
【００２０】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、受付装置本体１０と携帯電話３０とが接続ケーブル１０で接続されることで画像データ等を送受信可能になっているが、受付装置本体１０と携帯電話３０との間では無線で画像データ等を送受信可能になっていてもよい。
【００２１】
また、上述の実施の形態では、プリント注文を受け付ける際に用いられるプログラムが受付装置本体１０から携帯電話３０に送信されているが、上記プログラムが携帯電話３０にあらかじめ記憶されていてもよい。
【００２２】
また、上述の実施の形態では、顧客の携帯端末として、顧客の携帯電話が用いられているが、携帯電話に限られず、例えば顧客の携帯型パソコンなど、その他の携帯端末でもよい。
【００２３】
また、上述の実施の形態では、プリント注文を受け付ける注文受付装置２が写真店に設置されているが、その他の商品の注文を受け付ける注文受付装置がその商品を販売する店に設置されていてもよい。
【図面の簡単な説明】
【００２４】
【図１】本発明の実施の形態に係るプリント注文受付装置が含まれるプリントシステムの構成を示す図である。
【図２】プリント注文受付装置の外観図を示す図である。
【図３】プリント注文受付装置のブロック図である。
【図４】顧客の携帯電話を利用してプリント注文が行われる際の動作手順を示すフローチャートである。
【符号の説明】
【００２５】
１  プリントシステム
２  プリント注文受付装置
３  ホストコンピュータ
４  写真装置装置
５  プリンタ
１１  読み取り部
１２  記憶部
１３  送受信部
３０  携帯電話
３１  表示部
３２  操作部
３３  記憶部
３４  送受信部
【図１】
2008020685.tif 000003
【図２】
2008020685.tif 000004
【図３】
2008020685.tif 000005
【図４】
2008020685.tif 000006